【手続補正書】
【提出日】平成29年1月24日(2017.1.24)
【手続補正１】
【補正対象書類名】明細書
【補正対象項目名】００１１
【補正方法】変更
【補正の内容】
【００１１】
そこで、本発明では、情報処理装置に表示された監視対象を識別可能表示することで、ユーザにとって、何れの監視対象を参照しているのかを識別することが可能な情報処理システム、情報処理装置、制御方法、及びプログラムを提供することを目的とする。
【手続補正２】
【補正対象書類名】明細書
【補正対象項目名】００１２
【補正方法】変更
【補正の内容】
【００１２】
上記の目的を達成するための第１の発明は、複数のカメラからネットワークを介して配信される複数の画像を表示可能な情報処理装置であって、前記配信された画像のうち、１つの画像をセンター画面に、複数の画像をサイド画面にそれぞれ表示する制御を行う表示制御手段と、前記カメラに関する情報を示すカメラ関連情報を記憶する記憶手段と、前記センター画面へ表示する画像を選定する選定手段と、前記選定手段によって選定した画像を表示する前記サイド画面及び前記センター画面の表示切り替えを行う表示切替手段と、前記カメラ関連情報の表示に関わる時間を管理する管理手段と、を備え、前記表示制御手段は、前記管理手段によって管理される、前記表示切替手段によって画面の表示切り替えがなされた前記サイド画面に表示された画像に対応する前記記憶手段のカメラ関連情報を前記センター画面に表示した時間が、所定時間経過後、当該カメラ関連情報の表示を制御することを特徴とする情報処理装置である。
【手続補正３】
【補正対象書類名】明細書
【補正対象項目名】００１３
【補正方法】変更
【補正の内容】
【００１３】
上記の目的を達成するための第２の発明は、複数のカメラからネットワークを介して配信される複数の画像を表示可能な情報処理装置の制御方法であって、前記情報処理装置は、前記配信された画像のうち、１つの画像をセンター画面に、複数の画像をサイド画面にそれぞれ表示する制御を行う表示制御ステップ、前記センター画面へ表示する画像を選定する選定ステップ、前記選定ステップによって選定した画像を表示する前記サイド画面及び前記センター画面の表示切り替えを行う表示切替ステップ、前記カメラに関する情報を示すカメラ関連情報の表示に関わる時間を管理する管理ステップ、を実行し、前記表示制御ステップは、前記管理ステップによって管理される、前記表示切替ステップによって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御することを実行する情報処理装置の制御方法である。
【手続補正４】
【補正対象書類名】明細書
【補正対象項目名】００１４
【補正方法】変更
【補正の内容】
【００１４】
上記の目的を達成するための第３の発明は、複数のカメラからネットワークを介して配信される複数の画像を表示可能な情報処理装置で読取実行可能なプログラムあって、前記情報処理装置を、前記配信された画像のうち、１つの画像をセンター画面に、複数の画像をサイド画面にそれぞれ表示する制御を行う表示制御手段と、前記センター画面へ表示する画像を選定する選定手段と、前記選定手段によって選定した画像を表示する前記サイド画面及び前記センター画面の表示切り替えを行う表示切替手段と、前記カメラに関する情報を示すカメラ関連情報の表示に関わる時間を管理する管理手段と、して機能させ、前記表示制御手段は、前記管理手段によって管理される、前記表示切替手段によって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御する、として機能させるためのプログラムである。
【手続補正５】
【補正対象書類名】明細書
【補正対象項目名】００１５
【補正方法】変更
【補正の内容】
【００１５】
本発明によれば、情報処理装置に表示された監視対象を識別可能表示することで、ユーザにとって、何れの監視対象を参照しているのかを識別することが可能となる、という効果を奏する。
【手続補正６】
【補正対象書類名】特許請求の範囲
【補正対象項目名】全文
【補正方法】変更
【補正の内容】
【特許請求の範囲】
【請求項１】
複数のカメラからネットワークを介して配信される複数の画像を表示可能な情報処理装置であって、
前記配信された画像のうち、１つの画像をセンター画面に、複数の画像をサイド画面にそれぞれ表示する制御を行う表示制御手段と、
前記カメラに関する情報を示すカメラ関連情報を記憶する記憶手段と、
前記センター画面へ表示する画像を選定する選定手段と、
前記選定手段によって選定した画像を表示する前記サイド画面及び前記センター画面の表示切り替えを行う表示切替手段と、
前記カメラ関連情報の表示に関わる時間を管理する管理手段と、
を備え、
前記表示制御手段は、前記管理手段によって管理される、前記表示切替手段によって画面の表示切り替えがなされた前記サイド画面に表示された画像に対応する前記記憶手段のカメラ関連情報を前記センター画面に表示した時間が、所定時間経過した場合、当該カメラ関連情報の表示を制御することを特徴とする情報処理装置。
【請求項２】
前記表示制御手段は、前記所定時間経過後、前記センター画面の画像に対応する前記記憶手段のカメラ関連情報を非表示とすることを特徴とする請求項１に記載の情報処理装置。
【請求項３】
画面に対する操作指示を受付ける操作指示受付手段を備え、
前記表示制御手段は、前記センター画面に前記カメラ関連情報が表示された状態で、前記操作指示受付手段によってセンター画面に対して操作指示がなされると、前記所定時間経過後、時間の経過によって、前記カメラ関連情報を非表示とすることなく継続して表示することを特徴とする請求項２に記載の情報処理装置。
【請求項４】
画面に対する操作指示を受付ける操作指示受付手段を備え、
前記表示制御手段は、前記センター画面に前記カメラ関連情報が表示された状態で、前記操作指示受付手段によって画面に対して操作指示がなされると、前記センター画面に表示されるカメラ関連情報の位置を変更することを特徴とする請求項２に記載の情報処理装置。
【請求項５】
前記表示制御手段は、前記センター画面に表示されるカメラ関連情報の位置を変更する際に、前記カメラ関連情報を縮小して変更することを特徴とする請求項４に記載の情報処理装置。
【請求項６】
前記表示制御手段は、前記センター画面に前記カメラ関連情報が表示された状態で、前記表示切替手段による画面の表示切り替えがなされると、前記サイド画面に対して前記センター画面に表示された画像及びカメラ関連情報を表示することを特徴とする請求項１乃至５の何れか１項に記載の情報処理装置。
【請求項７】
前記表示制御手段は、前記センター画面に前記カメラ関連情報が表示された状態で、前記表示切替手段による画面の表示切り替えがなされると、前記サイド画面に対して前記センター画面に表示された画像に対するカメラ関連情報の大きさの比率を、大きな比率で表示することを特徴とする請求項６に記載の情報処理装置。
【請求項８】
前記表示制御手段は、前記センター画面に前記カメラ関連情報が表示された状態で、前記表示切替手段による画面の表示切り替えがなされると、前記サイド画面に対して前記センター画面に表示された画像に対するカメラ関連情報の位置を変更して表示することを特徴とする請求項６または７に記載の情報処理装置。
【請求項９】
前記表示制御手段は、前記センター画面に前記カメラ関連情報が表示された状態で、前記表示切替手段による画面の表示切り替えがなされると、前記サイド画面に対して前記センター画面に表示された画像に対するカメラ関連情報の大きさの比率を、小さな比率で表示するとともに、前記画像に対するカメラ関連情報の位置を変更して表示することを特徴とする請求項６乃至８の何れか１項に記載の情報処理装置。
【請求項１０】
複数のカメラからネットワークを介して配信される複数の画像を表示可能な情報処理装置と、画像処理サーバとが通信可能な情報処理システムであって、
前記情報処理装置は、
前記配信された画像のうち、１つの画像をセンター画面に、複数の画像をサイド画面にそれぞれ表示する制御を行う表示制御手段と、
前記センター画面へ表示する画像を選定する選定手段と、
前記選定手段によって選定した画像を表示する前記サイド画面及び前記センター画面の表示切り替えを行う表示切替手段と、
前記カメラに関する情報を示すカメラ関連情報の表示に関わる時間を管理する管理手段と、
前記画像処理サーバの送信手段によって送信されたカメラ関連情報を受信する受信手段と、
を備え、
前記画像処理サーバは、
前記カメラ関連情報を記憶する記憶手段と、
前記画像を配信したカメラのカメラ関連情報を記憶手段から取得して前記情報処理装置へ送信する送信手段と、
を備え、
前記表示制御手段は、前記管理手段によって管理される、前記表示切替手段によって画面の表示切り替えがなされた前記サイド画面に表示された画像に対応する前記記憶手段のカメラ関連情報を前記センター画面に表示した時間が、所定時間経過後、当該カメラ関連情報の表示を制御することを特徴とする情報処理システム。
【請求項１１】
複数の画像を表示可能な情報処理装置であって、
１つの画像をセンター画面に、複数の画像をサイド画面にそれぞれ表示する制御を行う表示制御手段と、
前記画像を撮影して得た、カメラに関する情報を示すカメラ関連情報を記憶する記憶手段と、
前記センター画面へ表示する画像を選定する選定手段と、
前記選定手段によって選定した画像を表示する前記サイド画面及び前記センター画面の表示切り替えを行う表示切替手段と、
前記カメラ関連情報の表示に関わる時間を管理する管理手段と、
を備え
前記表示制御手段は、前記管理手段によって管理される、前記表示切替手段によって画面の表示切り替えがなされた前記サイド画面に表示された画像に対応する前記記憶手段のカメラ関連情報を前記センター画面に表示した時間が、所定時間経過後、当該カメラ関連情報の表示を制御することを特徴とする情報処理装置。
【請求項１２】
複数のカメラからネットワークを介して配信される複数の画像を表示可能な情報処理装置の制御方法であって、
前記情報処理装置は、
前記配信された画像のうち、１つの画像をセンター画面に、複数の画像をサイド画面にそれぞれ表示する制御を行う表示制御ステップ、
前記センター画面へ表示する画像を選定する選定ステップ、
前記選定ステップによって選定した画像を表示する前記サイド画面及び前記センター画面の表示切り替えを行う表示切替ステップ、
前記カメラに関する情報を示すカメラ関連情報の表示に関わる時間を管理する管理ステップ、
を実行し、
前記表示制御ステップは、前記管理ステップによって管理される、前記表示切替ステップによって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御することを実行する情報処理装置の制御方法。
【請求項１３】
複数のカメラからネットワークを介して配信される複数の画像を表示可能な情報処理装置で読取実行可能なプログラムあって、
前記情報処理装置を、
前記配信された画像のうち、１つの画像をセンター画面に、複数の画像をサイド画面にそれぞれ表示する制御を行う表示制御手段と、
前記センター画面へ表示する画像を選定する選定手段と、
前記選定手段によって選定した画像を表示する前記サイド画面及び前記センター画面の表示切り替えを行う表示切替手段と、
前記カメラに関する情報を示すカメラ関連情報の表示に関わる時間を管理する管理手段と、
して機能させ、
前記表示制御手段は、前記管理手段によって管理される、前記表示切替手段によって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御する、として機能させるためのプログラム。
【請求項１４】
複数のカメラからネットワークを介して配信される複数の画像を表示可能な情報処理装置と、画像処理サーバとが通信可能な情報処理システムの制御方法であって、
前記情報処理装置は、
前記配信された画像のうち、１つの画像をセンター画面に、複数の画像をサイド画面にそれぞれ表示する制御を行う表示制御ステップ、
前記センター画面へ表示する画像を選定する選定ステップ、
前記選定ステップによって選定した画像を表示する前記サイド画面及び前記センター画面の表示切り替えを行う表示切替ステップ、
前記カメラに関する情報を示すカメラ関連情報の表示に関わる時間を管理する管理ステップ、
前記画像処理サーバの送信ステップによって送信されたカメラ関連情報を受信する受信ステップ、
を実行し、
前記画像処理サーバは、
前記画像を配信したカメラのカメラ関連情報を、前記カメラ関連情報を記憶する記憶手段から取得して前記情報処理装置へ送信する送信ステップ、
を実行し、
前記表示制御ステップは、前記管理ステップによって管理される、前記表示切替ステップによって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御することを実行することを特徴とする情報処理システムの制御方法。
【請求項１５】
複数のカメラからネットワークを介して配信される複数の画像を表示可能な情報処理装置と、画像処理サーバとが通信可能な情報処理システムで読取実行可能なプログラムあって、
前記情報処理装置を、
前記配信された画像のうち、１つの画像をセンター画面に、複数の画像をサイド画面にそれぞれ表示する制御を行う表示制御手段と、
前記センター画面へ表示する画像を選定する選定手段と、
前記選定手段によって選定した画像を表示する前記サイド画面及び前記センター画面の表示切り替えを行う表示切替手段と、
前記カメラに関する情報を示すカメラ関連情報の表示に関わる時間を管理する管理手段と、
前記画像処理サーバの送信手段によって送信されたカメラ関連情報を受信する受信手段と、
して機能させ、
前記画像処理サーバを、
前記画像を配信したカメラのカメラ関連情報を、前記カメラ関連情報を記憶する記憶手段から取得して前記情報処理装置へ送信する送信手段と、
して機能させ、
前記表示制御手段は、前記管理手段によって管理される、前記表示切替手段によって画面の表示切り替えがなされた前記サイド画面に表示された画像に対応する前記記憶手段のカメラ関連情報を前記センター画面に表示した時間が、所定時間経過後、当該カメラ関連情報の表示を制御する、として機能させるためのプログラム。
【請求項１６】
複数の画像を表示可能な情報処理装置の制御方法であって、
前記情報処理装置は、
１つの画像をセンター画面に、複数の画像をサイド画面にそれぞれ表示する制御を行う表示制御ステップ、
前記センター画面へ表示する画像を選定する選定ステップ、
前記選定ステップによって選定した画像を表示する前記サイド画面及び前記センター画面の表示切り替えを行う表示切替ステップ、
カメラに関する情報を示すカメラ関連情報の表示に関わる時間を管理する管理ステップ、
を実行し
前記表示制御ステップは、前記管理ステップによって管理される、前記表示切替ステップによって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御することを実行することを特徴とする情報処理装置の制御方法。
【請求項１７】
複数の画像を表示可能な情報処理装置で読取実行可能なプログラムあって、
前記情報処理装置を
１つの画像をセンター画面に、複数の画像をサイド画面にそれぞれ表示する制御を行う表示制御手段と、
前記センター画面へ表示する画像を選定する選定手段と、
前記選定手段によって選定した画像を表示する前記サイド画面及び前記センター画面の表示切り替えを行う表示切替手段と、
カメラに関する情報を示すカメラ関連情報の表示に関わる時間を管理する管理手段と、
して機能させ、
前記表示制御手段は、前記管理手段によって管理される、前記表示切替手段によって画面の表示切り替えがなされた前記サイド画面に表示された画像に対応する、前記カメラに関する情報を示すカメラ関連情報を記憶する記憶手段のカメラ関連情報を前記センター画面に表示した時間が、所定時間経過後、当該カメラ関連情報の表示を制御する、として機能させるためのプログラム。